【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
互いに異なる色を表示する複数のサブ画素からなる表示画素が第１方向及び第２方向に複数配列され、前記第２方向において隣り合い、異なる前記表示画素に含まれる前記サブ画素が互いに同じ色を表示する画像表示装置であって、
入力された画像データがグレースケール画像である場合に、
前記画像データのエッジを構成する、第１データ画素および前記第１データ画素よりも階調値が小さい第２データ画素において、前記第１データ画素に対応する表示画素を構成し、かつ、前記第２データ画素に対応する表示画素に近い位置に配列された第１サブ画素と、前記エッジを構成しない第３データ画素に対応する表示画素を構成し、かつ、前記第１サブ画素と同じ色を表示する第２サブ画素とに、同じ階調値を入力した場合に、前記第１サブ画素の明るさが前記第２サブ画素の明るさよりも小さくなるように前記画像データを補正する補正部、
を有する画像表示装置。
【請求項２】
請求項１に記載の画像表示装置であって、
前記補正部はさらに、
前記第１データ画素に対応する表示画素を構成するサブ画素のうち、前記第１サブ画素と前記第１方向において隣り合う第３サブ画素と、前記第３データ画素に対応する表示画素において前記第３サブ画素と同じ色を表示する第４サブ画素とに、同じ階調値を入力した場合に、前記第３サブ画素の明るさが、前記第４サブ画素の明るさよりも小さくなるように前記画像データを補正する、
画像表示装置。
【請求項３】
請求項２に記載の画像表示装置であって、
前記データ画素は、前記表示画素を構成する前記複数のサブ画素が表示する色に対応する階調値を有し、
前記補正部は、ｉ＝１、２、３、４、として、前記第ｉサブ画素に対応する第ｉデータサブ画素の階調値をαｉ、前記第ｉサブ画素において表示可能な最大の階調値をαＭｉ、前記第ｉサブ画素に対するガンマ補正のγ値をγｉ、前記第ｉサブ画素の補正係数をβｉ、として、
β１＜β２となる前記β１および前記β２、並びに、β３＜β４となる前記β３および前記β４、を用いて、以下の式（１）に基づいて前記第ｉサブ画素に対応する補正後の前記第ｉデータサブ画素の階調値αｏｉを決定する、
画像表示装置。
2013061446.tif 000001
【請求項４】
請求項２に記載の画像表示装置であって、
前記表示画素を構成する前記複数のサブ画素は、赤色を表示する赤色サブ画素と、青色を表示する青色サブ画素と、の間に、緑色を表示する緑色サブ画素が配列されている、
画像表示装置。
【請求項５】
請求項４に記載の画像表示装置であって、
前記第１サブ画素が前記赤色サブ画素であり、前記第３サブ画素が前記緑色サブ画素である場合に、前記補正部は、前記第１サブ画素の補正量をβｒ、前記第３サブ画素の補正量をβｇとして、以下の関係式（２）を満たす前記βｒと前記βｇとを用いて前記画像データを補正する、
画像表示装置。
2013061446.tif 000002
【請求項６】
請求項４に記載の画像表示装置であって、
前記第１サブ画素が前記青色サブ画素であり、前記第３サブ画素が前記緑色サブ画素である場合に、前記補正部は、前記第１サブ画素の補正量をβｂ、前記第３サブ画素の補正量をβｇとして、以下の関係式（３）を満たす前記βｂと前記βｇとを用いて前記画像データを補正する、
画像表示装置。
2013061446.tif 000003
【請求項７】
請求項４に記載の画像表示装置であって、
前記第１サブ画素が前記赤色サブ画素であり、前記第３サブ画素が前記緑色サブ画素である場合に、前記補正部は、前記第１サブ画素の補正量をβｒ、前記第３サブ画素の補正量をβｇとして、以下の関係式（４）を満たす前記βｒと前記βｇとを用いて前記画像データを補正する、
画像表示装置。
2013061446.tif 000004
【請求項８】
請求項４に記載の画像表示装置であって、
前記第１サブ画素が前記青色サブ画素であり、前記第３サブ画素が前記緑色サブ画素である場合に、前記補正部は、前記第１サブ画素の補正量をβｂ、前記第３サブ画素の補正量をβｇとして、以下の関係式（５）を満たす前記βｂと前記βｇとを用いて前記画像データを補正する、
画像表示装置。
2013061446.tif 000005
【請求項９】
互いに異なる色を表示する複数のサブ画素からなる表示画素が第１方向及び第２方向に複数配列され、前記第２方向において隣り合い、異なる前記表示画素に含まれる前記サブ画素が互いに同じ色を表示する表示部に表示される画像データを処理する画像処理装置であって、
入力された画像データがグレースケール画像である場合に、
前記画像データのエッジを構成する、第１データ画素および前記第１データ画素よりも階調値が小さい第２データ画素において、前記第１データ画素に対応する表示画素を構成し、かつ、前記第２データ画素に対応する表示画素に近い位置に配列された第１サブ画素と、前記エッジを構成しない第３データ画素に対応する表示画素を構成し、かつ、前記第１サブ画素と同じ色を表示する第２サブ画素とに、同じ階調値を入力した場合に、前記第１サブ画素の明るさが前記第２サブ画素の明るさよりも小さくなるように前記画像データを補正する補正部、
を有する画像処理装置。
【請求項１０】
互いに異なる色を表示する複数のサブ画素からなる第１の画素と、互いに異なる色を表示する複数のサブ画素からなり、前記第１の画素と隣り合う第２の画素と、を備える画像表示装置であって、
入力される画像データにおいて、前記第１の画素を構成する前記複数のサブ画素それぞれの階調値どうしが等しく、前記第２の画素を構成する前記複数のサブ画素それぞれの階調値どうしが等しく、前記第１の画素を構成する前記サブ画素の階調値より前記第２の画素を構成する前記サブ画素の階調値が小さい場合に、
前記第１の画素を構成する前記複数のサブ画素のうち前記第２の画素に隣り合うように配置される前記サブ画素が、前記画像データにおける階調値で表示される明るさよりも小さい明るさを表示する、
ことを特徴とする画像表示装置。
【請求項１１】
請求項１０に記載の画像表示装置において、
入力される画像データにおいて、前記第１の画素を構成する前記複数のサブ画素それぞれの階調値どうしが等しく、前記第２の画素を構成する前記複数のサブ画素それぞれの階調値どうしが等しく、前記第１の画素を構成する前記サブ画素の階調値より前記第２の画素を構成する前記サブ画素の階調値が小さい場合に、
前記第１の画素を構成する前記複数のサブ画素のうち前記第１のサブ画素に隣り合うように配置される第２のサブ画素が、前記第１のサブ画素における表示される明るさが前記画像データにおける階調値に対して小さくなる程度よりも小さい程度で、前記画像データにおける階調値で表示される明るさよりも小さい明るさを表示する、
ことを特徴とする画像表示装置。
【請求項１２】
互いに異なる色を表示する複数のサブ画素からなる第１の画素と、互いに異なる色を表示する複数のサブ画素からなり、前記第１の画素と隣り合う第２の画素と、を備える表示部に表示される画像データを処理する画像処理装置であって、
入力される画像データにおいて、前記第１の画素を構成する前記複数のサブ画素それぞれの階調値どうしが等しく、前記第２の画素を構成する前記複数のサブ画素それぞれの階調値どうしが等しく、前記第１の画素を構成する前記サブ画素の階調値より前記第２の画素を構成する前記サブ画素の階調値が小さい場合に、
前記第１の画素を構成する前記複数のサブ画素のうち前記第２の画素に隣り合うように配置される前記サブ画素が、前記画像データにおける階調値で表示される明るさよりも小さい明るさを表示するように画像データを補正する、
ことを特徴とする画像処理装置。
【手続補正２】
【補正対象書類名】明細書
【補正対象項目名】発明の名称
【補正方法】変更
【補正の内容】
【発明の名称】画像表示装置、画像処理装置